(57)【要約】【課題】吸収性物品を着用したときの皮膚コンディションの良否を簡便に評価することができる。【解決手段】エモリエント剤及びその固定化剤を含むスキンケア剤を表面シートに施した吸収性物品のスキンケア効果の評価方法であって、前記スキンケア剤が施された表面シートの摩擦係数を測定し、その測定値に基づき、吸収性物品を着用したときの皮膚コンディションの良否を評価する。好ましくは、吸収性物品のウエットバック量も測定し、前記摩擦係数の測定値及び該ウエットバック量の測定値に基づき、吸収性物品を着用したときの皮膚コンディションの良否を評価する。【選択図】図１
2014104109.tif 000002
【特許請求の範囲】
【請求項１】
エモリエント剤及びその固定化剤を含むスキンケア剤を表面シートに施した吸収性物品のスキンケア効果の評価方法であって、
前記スキンケア剤が施された表面シートの摩擦係数を測定し、その測定値に基づき、吸収性物品を着用したときの皮膚コンディションの良否を評価する、吸収性物品のスキンケア効果の評価方法。
【請求項２】
吸収性物品のウエットバック量を測定し、前記摩擦係数の測定値及び該ウエットバック量の測定値に基づき、吸収性物品を着用したときの皮膚コンディションの良否を評価する、請求項１記載の吸収性物品のスキンケア効果の評価方法。
【請求項３】
前記エモリエント剤が、下記式（Ｉ）で表されるアミド誘導体であり、前記固定化剤が、炭素数１４〜２２の脂肪族モノアルコールである、請求項１又は２記載の吸収性物品のスキンケア効果の評価方法。
【化１】
2014104109.tif 000008
【請求項４】
前記脂肪族モノアルコールがステアリルアルコールである請求項３記載の吸収性物品のスキンケア効果の評価方法。
【発明の詳細な説明】
【技術分野】
【０００１】
本発明は、使い捨ておむつや生理用ナプキン等の吸収性物品のスキンケア効果の評価方法に関する。
【背景技術】
【０００２】
スキンケア剤が塗布された吸収性物品が種々提案されている。例えば特許文献１には、吸収性物品のトップシートの少なくとも一部に、２０℃において半固体又は固体であり、部分的に着用者の皮膚へ移ることができる有効量のローション組成物を適用することが記載されている。ローション組成物は、（ｉ）２０℃で可塑性もしくは流動性コンシステンシーを有するエモリエント剤を１０〜９５％、および（ｉｉ）該エモリエント剤を該トップシート上に固定化し得る固定化剤であって、少なくとも３５℃の融点を有する固定化剤を５〜９０％の割合で含むものである。固定化剤としては、例えばＣ14〜Ｃ22脂肪アルコールが用いられる。
【０００３】
また、スキンケア剤が塗布された吸収性物品のスキンケア効果による皮膚コンディションの改善効果に関し、特許文献２には、バックシートの蒸気の透過性及び吸収性コアのコラーゲンリウェット値が影響することが記載されている。
【先行技術文献】
【特許文献】
【０００４】
【特許文献１】特許４０８３３９５号公報
【特許文献２】特許４５５４０７１号公報
【発明の概要】
【発明が解決しようとする課題】
【０００５】
しかし、バックシートの蒸気の透過性が高く、コラーゲリウェット値の値が低くても、皮膚が過剰な水和の状態となり、充分なスキンケア効果が得られない場合があった。
【０００６】
したがって本発明の課題は、前述した従来技術が有する欠点を解消し得る吸収性物品を提供することにある。
【課題を解決するための手段】
【０００７】
本発明者は、皮膚コンディションに影響する因子について鋭意検討した結果、スキンケア剤が施された表面シートの摩擦係数が、吸収性物品を着用したときの皮膚コンディションと密接に関連していることを知見した。
【０００８】
本発明は前記知見に基づき更に検討した結果なされたものであり、エモリエント剤及びその固定化剤を含むスキンケア剤を表面シートに施した吸収性物品のスキンケア効果の評価方法であって、前記スキンケア剤が施された表面シートの摩擦係数を測定し、その測定値に基づき、吸収性物品を着用したときの皮膚コンディションの良否を評価する、吸収性物品のスキンケア効果の評価方法を提供するものである。
【発明の効果】
【０００９】
本発明の吸収性物品のスキンケア効果の評価方法によれば、吸収性物品を着用したときの皮膚コンディションの良否を簡便に評価することができる。
【図面の簡単な説明】
【００１０】
【図１】図１は、剤移行処理の説明図である。
【発明を実施するための形態】
【００１１】
以下本発明を、その好ましい実施形態に基づき説明する。
本発明において、スキンケア効果を評価する対象となる吸収性物品は、着用者の皮膚に近い側に位置し、かつ着用者の皮膚に対向する表面シートと、着用者の皮膚から遠い側に位置する裏面シートとを有している。表面シートと裏面シートとの間には、液保持性の吸収体が配置されている。必要に応じ、表面シート上の左右両側部に一対の防漏カフが配置されることもある。
【００１２】
表面シート及び裏面シートとしては、当該技術分野において通常用いられているものと同様のものを用いることができる。表面シートとしては、例えば液透過性を有する親水性の不織布や穿孔フィルムなどを用いることができる。これらの不織布やフィルムは一般に熱可塑性樹脂から構成されている。裏面シートとしては、例えば液不透過性のフィルムや、液難透過性の不織布などを用いることができる。液不透過性のフィルムは透湿性を有していてもよい。
【００１３】
吸収体としては、フラップパルプの積繊体や、フラッフパルプと高吸収性ポリマーとの混合積繊体を用いることができる。吸収体は、物品の全域にわたって同じ厚みを有していてもよく、あるいは一部分、例えば着用者の排泄部に対向する部分が他の部分よりも厚くなっていてもよい。吸収体の坪量に関しても同様であり、物品の全域にわたって同じ坪量を有していてもよく、あるいは一部分、例えば着用者の排泄部に対向する部分が他の部分よりも高坪量になっていてもよい。
【００１４】
そして、吸収性物品は、着用時に着用者の皮膚に当接する部材である表面シートにスキンケア剤が施されている。スキンケア剤は、吸収性物品の着用中における着用者の皮膚のカブレ等の肌トラブルを抑制する目的で使用される。この目的のため、スキンケア剤は、着用時に着用者の皮膚に当接する部材である表面シートに施されている。
【００１５】
表面シートに施すスキンケア剤は、表面シートの全域にまんべんなく施すことができる。あるいは、スキンケア剤の存在域と非存在域とが形成されるように該スキンケア剤を不連続に施すことができる。後者の場合、例えばスキンケア剤の存在域と非存在域とが、所定の幅をもって吸収性物品の長手方向に延び、かつ両域が吸収性物品の幅方向に沿って交互に配置されるように、これらを形成することができる。
【００１６】
本発明者は、表面シートにスキンケア剤を施した吸収性物品のスキンケア効果を十分に発揮させて、吸収性物品の着用時における皮膚コンディションを良好にするためには、スキンケア剤を施した表面シートの表面の摩擦係数が重要であること、特に吸収性物品のウエットバック量の値が低いことを前提として、表面シートの摩擦係数が低いことが重要であることを知見した。
スキンケア効果の十分な発現に表面シートの摩擦係数が低いことが重要であるのは、摩擦係数が高いと、皮膚の表面が傷つけられて水分を含み易くなり、例え、ウエットバック値が低く吸収性物品から肌への水分の移行量が少なくても、皮膚が水分を保持し易くなって皮膚コンディションが悪化するためであると考えられる。
【００１７】
本発明の評価方法においては、上記の知見に基づき、スキンケア剤を施した吸収性物品のスキンケア効果の評価を、表面シートの摩擦係数の測定値に基づき行い、好ましくは、表面シートの摩擦係数の測定値及びウエットバック量の測定値に基づき行う。
【００１８】
表面シートの摩擦係数は、例えば、以下の＜摩擦係数の測定方法＞に従って測定する。
＜摩擦係数の測定方法＞
ＫＥＳ−ＳＥ表面摩擦感テスター（カトーテック社製）を用いて評価する。具体的には、表面シートを含む製品試験片上に摩擦子により５ｋＰａ（５０ｇｆ／ｃｍ２）の荷重を加えた状態下に、その摩擦子を２０ｍｍ／秒の速度で移動させて、平均摩擦係数（単位：無次元、記号；ＭＩＵ）を測定する。その値を、表面シートの摩擦係数とする。
平均摩擦係数は、表面のなめらかさの程度を示し、値が小さい程、表面シートの表面が、なめらかであることを示す。
表面シートの摩擦係数の測定は、表面シートが吸収性物品に組み込まれた状態で測定する。上記の製品試験片は、吸収性物品における内部に吸収体が存在する吸収部分を表面シート及び裏面シートごと切り出して試験片とする。摩擦係数は、表面シートにおける着用者の肌側に向けられる面に摩擦子を当てて測定する。
【００１９】
また、吸収性物品のウエットバック量は、例えば、以下の＜ウエットバック量の測定方法＞に従って測定する。
＜ウエットバック量の測定方法＞
吸収性物品を平面状に拡げ、その状態で、人工尿１６０ｇを一括注入し、１０分間放置する。次いで、人工尿の吸収部位上にＴｏｙｏ Ｒｏｓｈｉ Ｋａｉｓｈａ，Ｌｔｄ製の４Ａろ紙（１０ｃｍ×１０ｃｍ）を２０枚重ね、その上から３．５ｋＰａの荷重で２分間加圧後（荷重は１０ｃｍ×１０ｃｍの面積に３．５ｋｇが加わるようにする）、人工尿を吸収したろ紙の重量を測定し、この重量から人工尿吸収前のろ紙の重量を差し引き、その値をウエットバック量とする。
人工尿の組成は次の通り。尿素１．９４質量％、塩化ナトリウム０．７９５４質量％、硫酸マグネシウム（七水和物）０．１１０５８質量％、塩化カルシウム（二水和物）０．０６２０８質量％、硫酸カリウム０．１９７８８質量％、ポリオキシエチレンラウリルエーテル０．００３５質量％及びイオン交換水（残量）。
【００２０】
評価対象の吸収性物品は、例えば、前記＜摩擦係数の測定方法＞で測定した摩擦係数の値が０．２１０以下、特に０．２００以下であると、実施例において後述する皮膚の水和度の値が１００未満、特に７０〜８０程度となって、該吸収性物品を着用したときに、皮膚が過剰に浸潤した状態（ふやけた状態）とならずに良好な皮膚コンディションが得られる。
他方、前記＜摩擦係数の測定方法＞で測定した摩擦係数の値が０．２２０以上であると、前記＜ウエットバック量の測定方法＞で測定したウエットバック量の値が仮に０．２ｇや０．１ｇと低い値であったとしても、皮膚の水和度の値が１００以上となり、吸収性物品を着用したときに、皮膚が過剰に浸潤した状態（ふやけた状態）となり、皮膚コンディションが良好とは言えなくなる。
【００２１】
このような観点から、本発明の好ましい一実施態様においては、前記の＜摩擦係数の測定方法＞で測定した摩擦係数の値が０．２１０以下であるか否かを基準にして、吸収性物品を着用したときの皮膚コンディションを評価し、例えば、０．２１０以下である場合には、吸収性物品を着用したときの皮膚コンディションが良好となるものと評価し、０．２１０超の場合は、吸収性物品を着用したときの皮膚コンディションが良好とはならないものと評価する。
なお、本発明は、スキンケア剤を施した表面シートの摩擦係数の値を、吸収性物品を着用したときの皮膚コンディションの評価（予測）に用いる点が斬新であり、皮膚コンディションの良否の判別する基準値としては０．２１０に代えて０．２００又は０．２２０等としても良く、更に任意の値とすることができる。
【００２２】
本発明の評価方法においては、皮膚コンディションの良否の評価にウエットバック量の測定値を用いることは必須ではない。例えば、スキンケア剤の組成や塗布量、吸収体の構成等からウエットバック量の値が低いことが予め判っている場合には、ウエットバック量を測定することなく、摩擦係数の値のみに基づいて皮膚コンディションの良否を判断しても良い。
但し、皮膚コンディションの良否の評価を一層信頼性の高いものとする観点からは、ウエットバック量を測定し、摩擦係数の測定値及びウエットバック量の測定値の両者に基づき、皮膚コンディションの評価を行うことが好ましい。
例えば、前記の＜ウエットバック量の測定方法＞でウエットバック量を測定し、その測定値が所定値以下、例えば０．５ｇ以下、好ましくは０．２ｇ以下である場合に限って、摩擦係数を測定し、前記ウエットバック量が０．５ｇ超又は０．２ｇ超の場合は、摩擦係数を測定することなく、皮膚コンディションが良好ではないと評価しても良い。
【００２３】
評価対象の吸収性物品は、前記の＜ウエットバック量の測定方法＞で測定したウエットバック量の値が０．５ｇ以下、好ましくは０．２ｇ以下、より好ましくは０．１５ｇ以下であることを前提として、前記の＜摩擦係数の測定方法＞で測定した表面シートの摩擦係数の値が０．２１０以下、特に０．２００以下であると、△ＴＥＷＬの値が小さく肌が良好な保湿性を示すものとなると共に、皮膚の水和度の値が１００以下、好ましくは７０〜８０程度となり皮膚が過剰に湿潤した状態（ふやけた状態）にもならないものとなる。即ち、皮膚の保湿性を向上させる観点及び皮膚の過度の湿潤を防止する観点の何れの観点からも、皮膚コンディションが良好となる。
従って、本発明の評価方法においては、例えば、前記の＜ウエットバック量の測定方法＞で測定したウエットバック量の値が０．５ｇ以下、より好ましくは０．２ｇ以下、更に好ましくは０．１５ｇ以下であり、且つ前記の＜摩擦係数の測定方法＞で測定した表面シートの摩擦係数の値が０．２１０以下、特に０．２００以下である場合に、その吸収性物品について、着用時における皮膚コンディションが良好となるものと評価することが好ましい。
【００２４】
評価対象の吸収性物品の表面シートに用いられているスキンケア剤としては、エモリエント剤及びその固定化剤を含むものが挙げられる。エモリエント剤とは、例えば肌を軟化あるいは柔軟にしたり、肌を潤滑させたり、肌に湿気を付与したり、肌を保湿したり、肌を清浄にしたりするなどの肌の健康状態を向上させる働きを有する物質全般を包含する。とりわけ、スキンケア効果が特に高い点から、下記式（Ｉ）で表されるアミド誘導体をエモリエント剤として用いることが好ましい。
【００２５】
【化１】
2014104109.tif 000003
【００２６】
式（Ｉ）で表されるアミド誘導体は、主に、吸収性物品の着用開始によって着用者の皮膚に移行して排泄物が着用者の皮膚に直接触れるのを抑制することができる。これによって排泄物の皮膚への浸透が抑制してカブレの発生を抑制しやすい。また、皮膚と吸収性物品との摩擦を弱め、吸収性物品による皮膚への刺激や肌の傷つきを低減させるとともに、経皮吸収された後には皮膚を柔軟化し、あるいは皮膚のバリア機能を高めるという働きも有する。
【００２７】
式（Ｉ）で表されるアミド誘導体からなるエモリエント剤の固定化剤は、吸収性物品における着用者の肌に当接する部材、例えば表面シートや防漏カフに施されたエモリエント剤を、該部材に固定する目的で用いられる。この目的のために固定化剤は油性の物質であることが好ましい。そのような物質としては、例えば炭素数１４〜２２の脂肪族モノアルコール、炭素数１２〜２２の脂肪族モノカルボン酸、該カルボン酸と炭素数１４〜２２の脂肪族モノアルコールとのエステルなどが知られている。本発明者ら検討した結果、これらの物質のうち、炭素数１４〜２２の脂肪族モノアルコールを固定化剤として用いると、式（Ｉ）で表されるアミド誘導体に起因するべたつき感の発生を効果的に低減できることが判明した。また、式（Ｉ）で表されるアミド誘導体の固定化効果が特に高くなることも判明した。
【００２８】
固定化剤として用いられる炭素数１４〜２２の脂肪族モノアルコールとしては、例えばラウリルアルコール、ミリスチルアルコール、セチルアルコール及びステアリルアルコールなどの飽和脂肪族モノアルコールや、オレイルアルコール及びリノリルアルコールなどの不飽和脂肪族モノアルコールなどを用いることができる。これらのアルコールは単独で又は２種以上を組み合わせて用いることができる。飽和脂肪族モノアルコール及び不飽和脂肪族モノアルコールのうち、飽和脂肪族モノアルコールを用いることが、式（Ｉ）で表されるアミド誘導体に起因するべたつき感の発生を効果的に低減できる点から好ましい。飽和脂肪族モノアルコールとしては、特にセチルアルコール及びステアリルアルコールを用いると、式（Ｉ）で表されるアミド誘導体に起因するべたつき感の発生を一層効果的に低減できる。とりわけステアリルアルコールを用いることが有利である。
【００２９】
また、式（Ｉ）で表されるアミド誘導体と炭素数１４〜２２の脂肪族モノアルコールとの使用の比率は、該脂肪族モノアルコールの使用量を、該アミド誘導体に対して相対的に多くすることが好ましい。特に、該アミド誘導体と該脂肪族モノアルコールとの合計質量に対して、該脂肪族モノアルコールを、６０質量％以上、好ましくは７０質量％以上、上限は９０質量％以下、好ましくは８５質量％以下とすることで、べたつき感の抑制とスキンケア効果の発現とを首尾良くバランスさせることができる。
【００３０】
式（Ｉ）で表されるアミド誘導体と炭素数１４〜２２の脂肪族モノアルコールとを混合してスキンケア剤を得るためには、例えばこれらを６０〜１００℃に加熱して液状にした状態下に混合すればよい。このようにして得られたスキンケア剤を、吸収性物品における着用者の皮膚に当接する部材である表面シートや防漏カフに施すためには、該スキンケア剤を例えば６０〜８０℃に加熱して液状にした状態下に、塗布、噴霧、浸漬等の方法で該部材の表面に付着させればよい。具体的には、例えばダイコーター方式、スロットスプレー方式、カーテンスプレー方式、メルトブローン方式、スパイラルスプレー方式、グラビア方式、ビード方式等を用いることができる。
【００３１】
また、本発明において十分なスキンケア効果が発現するスキンケア剤の使用量（特に表面シートへの付着量）は、坪量で表したときに、好ましくは０．３ｇ／ｍ2以上、より好ましくは０．５ｇ/ｍ2以上であり、上限は好ましくは２ｇ／ｍ2以下、より好ましくは１ｇ／ｍ2以下である。
【００３２】
吸収性物品の表面シートにスキンケア剤を施す場合には、それに先立ち、表面シートに親水化処理を施しておくことが好ましい。例えば表面シートが各種の不織布からなる場合には、該不織布の構成繊維の表面に親水化剤を付着させたり、該構成繊維中に親水化剤を練り込んだりすることで、親水化処理を行うことができる。その後に、繊維の表面にスキンケア剤を上述の各種の方式で施せばよい。
【００３３】
前記の表面シートを構成する不織布としては、例えば各種の熱可塑性樹脂から構成される繊維を含むものを用いることができる。熱可塑性樹脂としては、ポリエチレンやポリプロピレン等のポリオレフィン樹脂、ポリエチレンテレフタレート等のポリエステル樹脂などを用いることができる。繊維は、これらの樹脂の単独繊維又は２種以上の樹脂を含むブレンド繊維や複合繊維であり得る。繊維の太さは概ね０．５ｄｔｅｘ以上が好ましく、より好ましくは１ｄｔｅｘ以上であり、上限は好ましくは８．９ｄｔｅｘ以下、より好ましくは５．６ｄｔｅｘ以下である。これらの繊維に加えて、天然繊維や半天然繊維を不織布中にブレンドすることもできる。不織布の坪量は、好ましくは１０ｇ/ｍ2以上、より好ましくは１５ｇ/ｍ2以上であり、上限は好ましくは６０ｇ／ｍ2以下、より好ましくは３０ｇ／ｍ2以下である。
【００３４】
前記アミド誘導体としては、モノアミド誘導体、ジアミド誘導体、トリアミド誘導体及びポリアミド誘導体などが挙げられる。式（Ｉ）において、Ｒ1の好ましい例としては、炭素数１〜１８のアルキル基；炭素数１〜１８のモノ又はジ−ヒドロキシアルキル基；炭素数１〜６のアルコキシ基で置換された炭素数１〜１８のアルキル基；及びヒドロキシ基と炭素数１〜６のアルコキシ基で置換された炭素数１〜１８のアルキル基が挙げられる。特に炭素数１〜１８のアルキル基；炭素数２〜１２のモノ−又はジ−ヒドロキシアルキル基；炭素数１〜６のアルコキシ基で置換された炭素数２〜１２のアルキル基；ヒドロキシ基と炭素数１〜６のアルコキシ基で置換された炭素数２〜１２のアルキル基であることが好ましい。Ｒ2の好ましい例としては、炭素数１〜１２の直鎖又は分岐鎖のアルキレン基、特に炭素数２〜６の直鎖又は分岐鎖のアルキレン基が挙げられる。Ｒ3の好ましい例としては、水素原子、又は炭素数１〜６のアルコキシ基で置換された炭素数１〜６のアルキル基が挙げられる。Ｒ4の好ましい例としては、炭素数２〜３４の直鎖又は分岐鎖の二価炭化水素基、特に炭素数２〜３４の直鎖又は分岐鎖のアルキレン基；及び１〜４個の二重結合を有する炭素数２〜３４のアルケニレン基が挙げられ、とりわけ炭素数２〜２４の直鎖又は分岐鎖のアルキレン基；及び１〜４個の二重結合を有する炭素数２〜２４のアルケニレン基が好ましい。Ｒ5の好ましい例としては、炭素数１〜１８のアルキル基；炭素数１〜１８のモノ又はジ−ヒドロキシアルキル基；炭素数１〜６のアルコキシ基で置換された炭素数１〜１８のアルキル基；及びヒドロキシ基と炭素数１〜６のアルコキシ基で置換された炭素数１〜１８のアルキル基が挙げられる。Ｒ6の好ましい例としては、水素原子、又は炭素数１〜６のアルコキシ基で置換された炭素数１〜６のアルキル基が挙げられる。式（Ｉ）で表されるアミド誘導体は単独で又は２種以上を組み合わせて用いることができる。特に好ましいアミド誘導体は、後述する実施例において用いた式（１）で表されるジアミド誘導体である。
【００３５】
式（Ｉ）で表されるアミド誘導体は、３６℃における粘度が５０００ｍＰａ・ｓ以下、特に２００以上好ましくは５００以上、上限は５０００ｍＰａ・ｓ以下好ましくは２０００ｍＰａ・ｓ以下のものを使用するか、そのようになるように必要に応じて粘度調節したものを用いることが、該アミド誘導体の皮膚への移行性が良好となることから好ましい。粘度の測定は例えば以下のようにして行うことができる。
【００３６】
アミド誘導体の粘度は、音叉型振動式粘度計（本発明では代表的にＶＩＢＲＯ  ＮＩＳＣＯＭＥＴＥＲＣＪＶ５０００（株式会社エー・アンド・デイ社製）を使用）を用いて測定を行う。予め１００℃程度に加熱したアミド誘導体を室温まで徐冷し、３６℃での粘度を測定する。
【００３７】
式（Ｉ）で表されるアミド誘導体に加えて、その他のエモリエント剤をスキンケア剤に配合することもできる。そのような他のエモリエント剤としては、例えば流動パラフィン、シリコーンオイル、動植物油（オリーブ油、ホオバ油、ベニバナ油、スクワラン及びスクワレン等）、モノグリセライド、ジグリセライド、トリグリセライド、脂肪族エーテル（ミリスチル−１，３−ジメチルブチルエーテル、パルミチル−１，３−ジメチルブチルエーテル、ステアリル−１，３−ジメチルブチルエーテル、パルミチル−１，３−メチルプロピルエーテル、ステアリル−１，３−メチルプロピルエーテル等）、イソステアリル−コレステロールエステル、パラフィンワックス等が挙げられる。
【００３８】
更に本発明で用いるスキンケア剤には必要に応じて、セラミド類、プソイドセラミド、スフィンゴ糖脂質、スフィンゴリン脂質等を配合してもよい。セラミド類には、脳や皮膚から抽出、精製された天然セラミドと、微生物学的方法又は化学的方法によって合成された合成セラミドとが含まれる。プソイドセラミドは、例えば特開昭６２−２２８０４８号公報及び特開昭６３−２１６８５２号公報等に記載された方法に従って製造することができる。プソイドセラミドとして好ましいものとしては、次の式（ＩＩ）で表わされる化合物が挙げられる。
【００３９】
【化２】
2014104109.tif 000004
【００４０】
スフィンゴ糖脂質及びスフィンゴリン脂質には、前記のセラミド類と同様に、天然由来のものと合成物とがある。スフィンゴ糖脂質としては、例えば、構成糖がグルコース、マンノース、ガラクトース、グルクロン酸、グルコサミン等からなるものが挙げられ、セレブロシド及びその硫酸エステルも含まれる。スフィンゴリン脂質としてはスフィンゴミエリンが例示される。
【００４１】
本発明の吸収性物品の具体例としては、使い捨ておむつ、生理用ナプキン、失禁パッド、パンティライナー、おりものシート等が挙げられるが、これらに限られず、人体から排泄される排泄物の吸収保持に用いられる物品を広く包含する。
【００４２】
以上のとおり、スキンケア剤を表面シートに施した吸収性物品、特にエモリエント剤及びその固定化剤を含むスキンケア剤を表面シートに施した吸収性物品は、そのスキンケア剤が施された表面シートの摩擦係数が、吸収性物品を着用したときの皮膚コンディションの良否に影響し、そのため、表面シートの摩擦係数の値を皮膚コンディションの良否の判定に使用することができる。そのため、例えば、新規のスキンケア剤を開発し、該スキンケア剤を表面シートに塗布した吸収性物品の性能を評価したい場合には、該スキンケア剤を施した表面シートの摩擦係数を測定し、スキンケア効果が既知の吸収性物品の同摩擦係数と比較することにより、実際に吸収性物品を着用しなくても、吸収性物品のスキンケア効果を簡便に評価できる。同様に、実際に着用したときのスキンケア効果が不明な吸収性物品についても、スキンケア剤を施した表面シートの摩擦係数、好ましくは摩擦係数及びウエットバック量を測定することで、当該吸収性物品のスキンケア効果を簡便に評価することができる。このような評価方法は、新規なスキンケア剤を有する吸収性物品の開発等に極めて有用である。
【００４３】
上述した実施態様に関し、本発明は、さらに以下の評価方法等を開示する。
＜１＞  エモリエント剤及びその固定化剤を含むスキンケア剤を表面シートに施した吸収性物品のスキンケア効果の評価方法であって、
前記スキンケア剤が施された表面シートの摩擦係数を測定し、その測定値に基づき、吸収性物品を着用したときの皮膚コンディションの良否を評価する、吸収性物品のスキンケア効果の評価方法。
＜２＞  吸収性物品のウエットバック量を測定し、前記摩擦係数の測定値及び該ウエットバック量の測定値に基づき、吸収性物品を着用したときの皮膚コンディションの良否を評価する、＜１＞記載の吸収性物品のスキンケア効果の評価方法。
【００４４】
＜３＞  前記エモリエント剤が、下記式（Ｉ）で表されるアミド誘導体であり、前記固定化剤が、炭素数１４〜２２の脂肪族モノアルコールである、＜１＞又は＜２＞記載の吸収性物品のスキンケア効果の評価方法。
【００４５】
【化１】
2014104109.tif 000005
【００４６】
＜４＞  前記式（Ｉ）で表されるアミド誘導体は、３６℃における粘度が２００ｍＰａ・ｓ以上、好ましくは５００以上であり、上限は５０００ｍＰａ・ｓ以下、好ましくは２０００ｍＰａ・ｓ以下である＜３＞記載のスキンケア効果の評価方法。
＜５＞  前記脂肪族モノアルコールがステアリルアルコールである＜３＞又は＜４＞記載の吸収性物品のスキンケア効果の評価方法。
＜６＞  表面シートは、親水性の不織布又は穿孔フィルムであり、裏面シートは、液不透過性のフィルム又は液難透過性の不織布である＜１＞〜＜５＞の何れか１に記載の吸収性物品のスキンケア効果の評価方法。
＜７＞  前記親水性の不織布からなる表面シートは、該不織布の構成繊維の表面に親水化剤を付着させるか、該構成繊維中に親水化剤を練り込んだものである＜６＞記載の吸収性物品のスキンケア効果の評価方法。
＜８＞  前記不織布の繊維の太さが、０．５ｄｔｅｘ以上、好ましくは１ｄｔｅｘ以上であり、また、８．９ｄｔｅｘ以下、好ましくは５．６ｄｔｅｘ以下である＜７＞記載の吸収性物品のスキンケア効果の評価方法。
＜９＞  前記不織布の坪量は、１０ｇ/ｍ2以上、好ましくは１５ｇｍ2以上であり、上限は６０ｇ/ｍ2以下、好ましくは３０ｇ／ｍ2以下である＜７＞又は＜８＞記載の吸収性物品のスキンケア効果の評価方法。
【００４７】
＜１０＞  前記表面シートに施すスキンケア剤は、該スキンケア剤の存在域と非存在域とが形成されるように不連続に施し、スキンケア剤の存在域と非存在域とが、所定の幅をもって吸収性物品の長手方向に延び、かつ両域が吸収性物品の幅方向に沿って交互に配置されるように形成された＜１＞〜＜９＞の何れか１に記載の吸収性物品のスキンケア効果の評価方法。
＜１１＞  前記摩擦係数は、ＫＥＳ−ＳＥ表面摩擦感テスター（カトーテック社製）を用いて、表面シートを含む製品試験片上に摩擦子により５ｋＰａ（５０ｇｆ／ｃｍ２）の荷重を加えた状態下に、その摩擦子を２０ｍｍ／秒の速度で移動させて、平均摩擦係数（単位：無次元、記号；ＭＩＵ）を測定し、その値を、摩擦係数とする＜１＞〜＜１０＞の何れか１に記載の吸収性物品のスキンケア効果の評価方法。
＜１２＞  前記摩擦係数の値が０．２１０以下、好ましくは０．２００以下であることを、皮膚コンディションが良好であることを判定する一つの目安とする＜１１＞記載の吸収性物品のスキンケア効果の評価方法。
＜１３＞  前記ウエットバック量の値が０．５ｇ以下、好ましくは０．２ｇ以下、更に好ましくは０．１５ｇ以下であり、且つ前記表面シートの摩擦係数の値が０．２１０以下、好ましくは０．２００以下である場合に、その吸収性物品について、着用時における皮膚コンディションが良好となるものと評価する＜１２＞記載の吸収性物品のスキンケア効果の評価方法。
＜１４＞  前記吸収性物品は使い捨ておむつである＜１＞〜＜１３＞の何れか１に記載の吸収性物品のスキンケア効果の評価方法。
【実施例】
【００４８】
以下、実施例により本発明を更に詳細に説明する。しかしながら本発明の範囲は、かかる実施例に制限されない。特に断らない限り、「部」は及び「質量部」を意味する。
【００４９】
〔使い捨ておむつＡ〜Ｄの作製〕
（１）スキンケア剤の調製
スキンケア剤におけるエモリエント剤として、以下の式（２）で表されるジアミド誘導体を用いた。このジアミド誘導体の３６℃での粘度は１８００ｍＰａ・ｓであった。このジアミド誘導体の固定化剤としてステアリルアルコールを用いた。ジアミド誘導体とステアリルアルコールとを８０℃に加熱して溶融させ均一に混合した。使用量は、ジアミド誘導体２部に対してステアリルアルコール８部とした。このようにしてスキンケア剤を得た。
【００５０】
【化３】
2014104109.tif 000006
【００５１】
（２）使い捨ておむつの作製
使い捨ておむつＡとして、表面シートに、前記の（１）で得られたスキンケア剤を施したものを作製した。表面シートとしては、芯成分がポリプロピレンで、鞘成分がポリエチレンである繊度３．３ｄｔｅｘの芯鞘型複合繊維を原料とする坪量３０ｇ／ｍ2のエアスルー不織布を使用した。この不織布に、スプレーコーターを用いて前記の（１）で得られたスキンケア剤を不織布の全面に施した。スプレーコーターの塗工は、スキンケア剤を８０℃に加熱溶融させて行った。スキンケア剤の塗工量は、５０μｇ／ｃｍ2（０．５ｇ／ｍ2）とした。
【００５２】
（３）使い捨ておむつＢの作製
使い捨ておむつＡの製造において、ジアミド誘導体５部に対してステアリルアルコール５部を用いてスキンケア剤を調製した。これ以外は使い捨ておむつＡの製造と同様にして、使い捨ておむつＢを製造した。
【００５３】
（４）使い捨ておむつＣの作製
使い捨ておむつＡの製造において、表面シートにスキンケア剤を施さない以外は、使い捨ておむつＡの製造と同様にして、使い捨ておむつＣを製造した。
【００５４】
（５）使い捨ておむつＤの作製
ワセリン４部に対してステアリルアルコール１部を使用してスキンケア剤を調製し、かつ不織布へのスキンケア剤の塗工量を０．５ｇ／ｍ2の代わりに１０．２ｇ／ｍ2とした以外は、使い捨ておむつＡの製造と同様にして、使い捨ておむつＤを製造した。
【００５５】
〔吸収性物品の物性測定〕
（６）表面シートの摩擦係数
製造した使い捨ておむつＡ〜Ｄの表面シートの摩擦係数を、前記の＜摩擦係数の測定方法＞に従って測定し、その結果を表１に示した。
【００５６】
（７）ウエットバック量の測定
製造した使い捨ておむつＡ〜Ｄのウエットバック量を、前記の＜ウエットバック量の測定方法＞に従って測定し、その結果を表１に示した。
【００５７】
〔皮膚コンディションの評価〕
（８）△ＴＥＷＬ（経皮水分蒸散量）の測定
製造した使い捨ておむつＡ〜Ｄを用い、Ｔｅｗａｍｅｔｅｒによって、被験者の△ＴＥＷＬ（経皮水分蒸散量）の測定を行った。△ＴＥＷＬは皮膚から蒸発する水の量（ｇ／ｍ2／ｈｒ）を示し、その値が高いほど一般的に皮膚のバリア機能は低下していると言われている。
そこで、皮膚コンディションの良否を評価する一つ目の指標として△ＴＥＷＬを用いることにした。スキンケア効果の程度は、ＴＥＷＬの変化量（ΔＴＥＷＬ）で示す。具体的には、使い捨ておむつＡ，Ｂ及びＤにおける表面シートのスキンケア剤を、１０人の健常な成人の前腕内側部の以下の＜洗浄・馴化処理＞を経た皮膚について、以下の＜剤移行処理＞により移行させ、剤移行処理の前後でのＴＥＷＬの値をそれぞれ測定し、平均を求めた。そして、剤移行処理前のＴＥＷＬの値から、剤移行処理後のＴＥＷＬの値を差し引くことによって、ＴＥＷＬの変化量（ΔＴＥＷＬ＝剤移行処理前のＴＥＷＬの値−剤移行処理後のＴＥＷＬの値）を求めた。この変化量ΔＴＥＷＬが小さいことは、剤移行処理前の皮膚よりも剤移行処理後の皮膚の方が、水分が蒸発し難くなること、即ち、皮膚の保湿性が向上したことを示す。
表面シートにスキンケア剤が施されていない使い捨ておむつＣについても、同様の操作を行い、同様にしてＴＥＷＬの変化量ΔＴＥＷＬを求めた。ＴＥＷＬの測定は、マルチプローブアダプターＭＰＡ５に、テヴァメーターTewameter TM300(いずれもCourage + Khazaka electric GmbH製)を取り付けたものを用い、温度２０.０℃、湿度４０％ＲＨの条件下で行った。その結果を表１に示す。
【００５８】
＜洗浄・馴化処理＞
市販のマイルドタイプの洗顔料を泡立てて前腕をよく洗った後、水で十分にすすぐ。洗った部位の水を、日本製紙クレシア（株）製のキムタオル（登録商標）で軽くふき取る。その後、２０℃、湿度４０％ＲＨの環境可変室で３０分間馴化させる。
＜剤移行処理＞
吸収性物品の表面シートを、前記のように洗浄・馴化処理をした大人前腕に擦り付けてスキンケア剤を移行させる。具体的には、底面の直径が５ｃｍの円筒状の重り１（荷重３．５ｋＰａ）用い、図１に示すとおり、該重り１の底面に、吸収性物品の表面シート２を、その外面が下方を向くように取り付け、重り１の側面において表面シート２をゴム３でくくりつけて固定する。この状態の表面シート２を、大人の前腕の内側部に当接させ、その状態下に、重り１を指で動かし、１０ｃｍの長さの範囲を２往復させた。
このようにして、スキンケア剤を皮膚に擦り付ける。この操作は、２０℃、４０％ＲＨの環境可変室で行う。
【００５９】
（９）皮膚の水和度の測定
湿潤状態の吸収性物品を着用したときに皮膚の水和度が高すぎる場合には、皮膚が過剰に湿潤した状態（ふやけた状態）となり、おむつかぶれや類似の症状を生じやすくなる。そのため、皮膚コンディションを評価する二つ目の指標として、皮膚の水和度を測定した。具体的には、製造した各使い捨ておむつＡ〜Ｄについて、８０ｍＬの前記人工尿を注入した後、表面シート側を肌側に向けて１０人の健常な成人の前腕に巻き付けて密閉状態とした。その状態を３０分間維持した後、使い捨ておむつを外し、その直後に、人工尿の注入ポイントに当たっていた部分の皮膚の水和度を、Ｃ＋Ｋ社製のコルネオメーター「Corneometer MPA5」を用いて測定した。その結果を表１に示す。
【００６０】
【表１】
2014104109.tif 000007
【００６１】
表１に示す結果を見ると、ウエットバック量が０．２ｇ以下と低く且つ表面シートの摩擦係数が０．２１０以下と低い使い捨ておむつＡは、ＴＥＷＬの変化量ΔＴＥＷＬが小さく、皮膚の水和度は１００未満に抑えられている。
即ち、皮膚の保湿性が向上する一方、皮膚が過剰に湿潤した状態（ふやけた状態）ともなっていない。
これに対して、使い捨ておむつＢ〜Ｄは、ウエットバック量が０．１ｇ又は０．２ｇと低いにも拘わらずに、表面シートの摩擦係数が０．２２０超と大きいことによって、皮膚の水和度が１００以上となっており、皮膚が過剰に湿潤した状態（ふやけた状態）となっている。
表１中の実際の皮膚コンディションの評価は、皮膚の保湿性の向上及び皮膚のふやけ防止の何れもが達成されていることが好ましい。
表１に示す結果からは、例えば、ウエットバック量が０．５ｇ、好ましくは０．２ｇ以下、更に好ましくは０．１５ｇ以下であり、且つ摩擦係数が０．２１０、好ましくは０．２００以下の場合に、皮膚コンディションが良好となる使い捨ておむつであると評価（予測）すれば、現実に吸収性物品を使用しなくても、実際に着用したときに良好な皮膚コンディションが得られるか否かを簡便に評価（予測）することができる。
このように、スキンケア剤が施された吸収性物品のスキンケア効果が現実に発現されて、良好な皮膚のコンディションが得られるか否かには、表面シートの摩擦係数が大きく影響している。そのため、吸収性物品を着用したときに良好な皮膚のコンディションが得られるか否かの評価、特に皮膚の保湿性を向上させる観点及び皮膚の過度の湿潤を防止する観点のいずれの観点においても良好な皮膚コンディションが得られるか否かの評価を、表面シートの摩擦係数の測定値に基づき行うことが有効であることも判る。
【図１】
2014104109.tif 000009